(57)【要約】【課題】従来は、表示部と制御部が分かれており、使用が煩雑であったパネル型ディスプレイに置ける課題を解決し、複数の主電源立ち上がり時のタイミングを効率的に制御する事を目的とする。【解決手段】チューナ部２０、ＰＤＰ部４０に共通するスイッチ手段１１を設けるとともに、個々にスタンバイ電源手段２１、スタンバイ電源手段４１、サブ制御手段２２、サブ制御手段４２を備え、さらにそれぞれの制御手段２５、制御手段４５に電力を供給して制御する表示装置である。【選択図】　図２
2004045485.tif 000002
【特許請求の範囲】
【請求項１】
第１の電源から電力が供給される第１の制御手段により制御される信号処理部と、第２の電源から電力が供給される第２の制御手段により制御される表示部と、前記第１の電源および前記第２の電源を立ち上げるための信号を出力するスイッチ手段とを備え、前記スイッチ手段からの信号に基づき前記第１の主電源を立ち上げ前記第１の制御手段を動作させ、かつ前記第２の主電源を立ち上げ前記第２の制御手段を動作させるとともに、前記第１の制御手段と前記第２の制御手段の間で通信制御を行うことを特徴とする表示装置。
【請求項２】
第１の制御手段の入力ポートと第１の主電源によって供給される任意電圧供給電源間に電源供給時はプルアップしかつ電源非供給時には入力ポート側にかかる任意電源電圧退避させる第１の回路手段と、第２の制御手段の入力ポートと第２の主電源によって供給される任意電圧供給電源間に電源供給時はプルアップしかつ電源非供給時には入力ポート側にかかる任意電源電圧退避させる第２の回路手段とを有することを特徴とする請求項１記載の表示装置。
【発明の詳細な説明】
【０００１】
【発明の属する技術分野】
本発明は、表示用のＡＶ信号を制御する信号処理部（例えば、広義のチューナ部）と、この信号処理部で信号処理されたＡＶ信号を表示する、例えばプラズマディスプレイパネル（ＰＤＰ）、液晶表示パネル（ＬＣＤ）、エレクトロルミネッセンスディスプレイ（ＥＬ）等のパネル型の表示部とからなり、表示部と信号処理部とを一体にしたパネル型表示装置に関するものである。
【０００２】
【従来の技術】
従来は、ＰＤＰを表示部としたテレビジョン受像機のような大画面、薄型のパネル型のディスプレイは、その薄さを前面に出して商品訴求を行うため、表示部にＡＶ信号入力切替部あるいは広義のチューナ部を内蔵することなく、ＡＶ信号入力切替部と表示部とを別々の筐体とした製品構成をとる場合が多い。このような場合は、個々の異常を一意的に知ることはなかった。例えば、特開平９−２４４５７１号公報にはパネル型ディスプレイの異常表示機能について記載されており、ＰＤＰやＬＣＤ等を使用するパネル型ディスプレイではその薄型のパネルの特長を生かすため表示部とその表示部に表示映像信号等を供給する制御部を分離して構成し、さらにこれらの間のケーブルを少なくする等のために各々の駆動する電源もそれぞれ独立に設けることが多い。しかし、このような構成では、表示部で起こった異常を制御部で把握できないため、異常時に迅速な対応ができず、修理等の際の情報も得にくいと言う問題があるという課題に対し、表示部と制御部が分かれているパネル型ディスプレイにおいて、制御部から表示部の異常を容易にかつ的確に把握する技術について開示がなされている。
【０００３】
また、特開平９−２４４５７１号公報では、表示部と制御部（例えば、映像信号処理部）が２体に分離されているような形態を有するパネル型ディスプレイでは、上述した課題にある用に表示部と制御部の２体もので有るがゆえに、制御部側で一意的に表示部側の異常管理を行おうとしていた。
【０００４】
パネル型ディスプレイは、非常に高価であり業務用として使われることが多く、表示部の薄さの訴求が最重点項目であったために２体型で構成されていた。図９に従来の２体型のパネル型ディスプレイの構成例を示す。この図面では、ＰＤＰ（プラズマディスプレイパネル）からなる表示部１とチューナ部２から構成されるとともに、リモコン３でこれらを制御するような形態を取っていた。電源についても、表示部１とチューナ部２はそれぞれ個別の電源（ＡＣ）に接続されているように、個々に必要であった。
【０００５】
【発明が解決しようとする課題】
このように従来の２体型のパネル型ディスプレイでは、制御部と表示部とがそれぞれ独立しており、おのおのの構成の電源を立ち上げる際には、個々の電源スイッチを入れなければならないというような課題があった。
【０００６】
一方、ＤＶＤ（デジタル・バーサタイル・ディスク）のソフトまたはハード機器の充実による一般家庭でのパネル型ディスプレイを用いたホームシアターの構築の願望、またはＢＳデジタル放送の開始による高画質デジタルハイビジョン放送をより大画面・高画質のディスプレイで視聴したいとの要望が徐々に高まり、このパネル型ディスプレイは、業務用のみならず一般家庭における人気・需要も高まり、そのために制御部（例えば、チューナ部（単体の電子部品としてのチューナではなく））と表示部とを一体型にし、パネル型ディスプレイの構成をコンパクトにする必要性が出てきた。
【０００７】
しかし、従来ではパネル型ディスプレイの表示部での消費電力量や、制御部を共通にして表示部を、例えば３７インチ型、４２インチ型、５０インチ型以外のインチ展開すること、さらには各国展開による消費電力の差異、また電源へのデジタル妨害等を考慮すると、制御部（例えば、チューナ部）と表示部（たとえばＰＤＰ）の電源の分離しておくことが必要であり、また、一体のものとする場合には、制御部および表示部それぞれの異なる電源の立ち上がりを制御しなければならないという課題があった。
【０００８】
本願発明は、これらの課題を解決した表示装置を提供することを目的とするものである。
【０００９】
【課題を解決するための手段】
本願発明の第１の発明の表示装置は、第１の電源から電力が供給される第１の制御手段により制御される信号処理部と、第２の電源から電力が供給される第２の制御手段により制御される表示部と、前記第１の電源および前記第２の電源を立ち上げるための信号を出力するスイッチ手段とを備え、前記スイッチ手段からの信号に基づき前記第１の主電源を立ち上げ前記第１の制御手段を動作させ、かつ前記第２の主電源を立ち上げ前記第２の制御手段を動作させるとともに、前記第１の制御手段と前記第２の制御手段の間で通信制御を行うことを特徴とするものである。
【００１０】
具体的には、第１のスタンバイ電源、第１のスタンバイ電源から電源を供給される第１のサブ制御手段、第１のサブ制御手段によって制御される第１の電源切り替え手段、第１の主電源、第１の主電源から電源を供給される第１の制御手段、第１の制御部から制御される信号処理部と、第２のスタンバイ電源、第２のスタンバイ電源から電源を供給される第２のサブ制御手段、第２のサブ制御手段によって制御される第２の電源切り替え手段、第２の主電源、第２の主電源から電源を供給される第２の制御手段、第２の制御部から制御される表示部からなり、第１のスタンバイ電源と第２のスタンバイ電源に共通して用いられる第３の切り替え手段からなるものである。
【００１１】
またこの表示装置に加えて、第１の制御手段の入力ポートと第１の主電源によって供給される任意電圧供給電源間に電源供給時はプルアップしかつ電源非供給時には入力ポート側にかかる任意電源電圧退避させる第１の回路手段、第２の制御手段の入力ポートと第２の主電源によって供給される任意電圧供給電源間に電源供給時はプルアップしかつ電源非供給時には入力ポート側にかかる任意電源電圧退避させる第２の回路手段からなるものである。
【００１２】
また第１のサブ制御手段と第２のサブ制御手段に共通のリモートコントロールインターフェース手段を有するものである。
【００１３】
また第１のサブ制御手段あるいは第２のサブ制御手段に付随するリモートコントロールインターフェース手段を有し、かつ第１のサブ制御手段と第２のサブ制御手段間に制御手段を有するものである。
【００１４】
【発明の実施の形態】
図１に本発明における制御部（例えば、チューナ部）と表示部（例えば、ＰＤＰ）とを一体化にしたパネル型ディスプレイの一例である、一体型パネルテレビの構成の一実施例を示す。１０は一体型パネルテレビ、２０はチューナ部、４０は表示部であるＰＤＰである。これらは、リモコン３によって制御される。以下、図２を用いて本願発明の一実施例について説明する。
【００１５】
図２において１０は既に図１で説明した一体型パネルテレビ、２０はチューナ部、４０はＰＤＰであり、それぞれ説明のため、それぞれの構成を枠により囲んでいる。
【００１６】
１１は各スタンバイ電源に関するスイッチであるＳＷ部、１２はリモートコントローラ（以下、リモコンと記す）からの赤外光線を受光するインターフェース手段であるＩＲ、２１はチューナ部２０側のスタンバイ電源、２２はスタンバイ電源２１から電源供給され動作するスタンバイ制御部であるサブ制御部、２３は電源のオンオフ切り替えを行うＳＷ部（本実施の形態では説明のため電源部からは分離している）、２４はチューナ部２０の主電源となる電源部、２５は信号処理を行う各部を制御するための制御部、２６はＢＳ（衛星放送）あるいは地上波放送の電子部品機能としてのチューナ、２７は各ＡＶ入力の入力端子等からなるＡＶ入力部、２８はチューナ２６およびＡＶ入力部２７からのＡＶ信号を切り替えるＡＶＳＷ、２９は、ＡＶＳＷ２８からの映像信号を処理する映像処理部である。
【００１７】
また、ＡＶＳＷ２８からの音声信号はライン信号としてＰＤＰ４０に供給される。３１は制御部２５の電圧検出ポートを電源部２４でプルアップすると供に、電源部２４からプルアップされない場合は、制御部２５のポート側の電源電圧を退避するための機能を有する電子回路であるＣ１である。
【００１８】
次に４１はＰＤＰ４０側のスタンバイ電源、４２はスタンバイ電源４１から電源供給されて動作するスタンバイ制御部であるサブ制御部、４３は電源のオンオフ切り替えを行うＳＷ部（本実施の形態では説明のため電源部からは分離している）、４４はＰＤＰ４０の主電源となる電源部、４５は信号処理を行う各部を制御するための制御部、４６は映像処理部２９からの映像信号をパネル型表示するために最適なフォーマット変換をおこなうための映像フォーマット変換部、４７は実際に表示を行うパネル表示部、４８はＡＶＳＷ２８からの音声信号を高低音その他の音声処理を行い増幅し増幅した音声信号としてスピーカー（図示せず）に供給するための音声処理増幅部、４９はパネル表示部に応じた駆動をおこなうためのドライバ部である。
５０は制御部４５の電圧検出ポートを電源部４４でプルアップすると供に、電源部４４からプルアップされない場合は、制御部４５のポート側の電源電圧を退避するための機能を有する電子回路であるＣ２である。
【００１９】
これらの構成からなる表示装置の動作例を以下に説明する。
【００２０】
（実施の形態１）
図２で示した様にＳＷ部１１がオンにされると（例えばＳＷ部１１によりスタンバイ電源部２１およびスタンバイ電源部４１の電源回路部がグランドに落とされることで実現する）、スタンバイ電源部２１とスタンバイ電源部４１の電源が立ち上がる。このことにより、サブ制御部２２とサブ制御部４２が立ち上がる。
【００２１】
ＳＷ部１１から電源が立ち上がった場合は、あるいはあらかじめスタンバイ電源部２１およびスタンバイ電源部４１が立ち上がっている場合でリモコンなどの電源キーが押下された場合でスタンバイのオフ状態からオン状態が要求された場合、サブ制御部２２はＳＷ部２３をオンすることにより、電源部２４を立ち上げる。同様にサブ制御部４２はＳＷ部４３をオンすることにより、電源部４４を立ち上げる。
【００２２】
この際、電源部２４と電源部４４は、スタンバイ電源部２１あるいはスタンバイ電源部４１に比べ負荷容量が大きいため、電源の立ち上がりに差異が生じる。よって、回路の経年変化に等による立ち上がり時間の変動なども考慮し、常にチューナ部２０とＰＤＰ４０の過渡的な電源の立ち上がりを判断し、一体物としての動作の同期を取る必要がある。このため、制御部２５と制御部４５は、互いに通信を行うことで状態を判別する必要がある。
【００２３】
図３に示したようにチューナ部２０の制御部２５はＰＤＰ４０に対して通信準備を行い、通信可能か否かの判別を行う。つまり任意時間経過後、制御部２５は、制御部４５に対し通信要求を行う。任意時間以内にＰＤＰ４０の制御部４５から返信がない場合、任意回数、通信要求を繰り返す。通信可能と判断すれば通常処理を行う。あるいは通信不可能と判断した場合は、ＰＤＰ４０側に異常があると判別し、制御部２５はサブ制御部２２に対し電源オフ要求を行う。サブ制御部２２は、ＳＷ部２３を強制的にオフすることでチューナ部２０の主電源をオフする。
【００２４】
同様に図４に示したようにＰＤＰ４０の制御部４５は、チューナ部２０に対して通信準備を行い、通信可能か否かの判別を行う。つまり任意時間経過後、制御部４５は、チューナ部２０の制御部２５に対し通信要求を行う。任意時間後、制御部２５から返信がない場合、任意回数、通信要求を繰り返す。通信可能と判断すれば通常処理を行う。あるいは通信不可能と判断した場合は、チューナ部２０側に異常があると判別し、制御部４５はサブ制御部４２に対し電源オフの要求を行う。サブ制御部４２は、ＳＷ部４３を強制的にオフすることでＰＤＰ４０の主電源をオフする。
【００２５】
従来、複数の制御部が、個々の電源部から電源を供給される場合、電源の立ち上がりに伴い、個々の制御部の立ち上がりにタイムラグを生じていた。しかし、図２で示したような構成を取ることで、従来２体型でしか構成されなかったパネル型ディスプレイも、このような構成をとることで、容易に一体型に展開できるとともに、電源の立ち上がりにタイムラグがあっても個々の制御部が同期して処理を進めることが出来ると言う効果が得られる。
【００２６】
（実施の形態２）
本実施の形態では、電子回路であるＣ１の３１、電子回路であるＣ２の５０を用いてさらに精度の高い電源立ち上がりの監視を行うものである。
【００２７】
この場合、Ｃ１、Ｃ２の電源立ち上がりの監視システムを導入している。
【００２８】
任意時間経過後、チューナ部２０側の電源立ち上がり、ＰＤＰ４０の電源の立ち上がりのタイムラグあるいは、経年変化による立ち上がり時間の遅延等を吸収するためにいずれの電源も立ち上がったことを確認した上で、通信による確認を行う方式を取り入れている。
図５にＣ１の３１の実施回路例を示す。同様に図６にＣ２の５０の実施回路例を示す。
【００２９】
図５でＲ１はプルアップ抵抗、Ｄｉ１はダイオードである。図５で下側が電源部２４につながっており、上側が制御部２５のポートにつながっている。
【００３０】
図６でＲ２はプルアップ抵抗、Ｄｉ２はダイオードである。図６で下側が電源部４４につながっており、上側が制御部４５のポートにつながっている。
【００３１】
いずれの電源も立ち上がっている場合は、プルアップ抵抗Ｒ１もプルアップ抵抗Ｒ２もプルアップされた状態となり、制御部２５のポート部はデジタル信号のハイローのステイタスのハイ状態になる。同様に制御部４５のポート部はデジタル信号のハイローのステイタスのハイ状態になる。これらの動作を図７および図８のフローチャートを用いて説明する。いずれも任意時間経過後ハイ状態であることを確認したうえで通信準備に入る。通信可能であれば通常処理に入り、そうでなければ、サブ制御部２２あるいはサブ制御部４２に電源部２４あるいは電源部４４のオフ設定を要求する。
【００３２】
一方、例えば電源部２４が立ち上がっていなくて電源部４４が立ち上がっている場合、プルアップ抵抗Ｒ１は電源部２４でプルアップされることはないので制御部２５のポートはローである。一方、プルアップ抵抗Ｒ２は、電源４４でプルアップされる。しかし、Ｄｉ１がつながっているため、制御部４５のポートの電圧は、ハイの状態から電源電圧がＤｉ１によって取り込まれるため、ローになる。
【００３３】
また、例えば電源部４４が立ち上がっていなくて電源部２４が立ち上がっている場合、プルアップ抵抗Ｒ２は電源部４４でプルアップされることはないので制御部４５のポートはローである。一方、プルアップ抵抗Ｒ１は、電源２４でプルアップされる。しかし、Ｄｉ２がつながっているため、制御部２５のポートの電圧は、ハイの状態から電源電圧がＤｉ１によって取り込まれるため、ローになる。
【００３４】
これらは、図７、図８で任意時間経過後に電源オン検出されなかった場合であり、制御部２５あるいは、制御部４５は、サブ制御部２２あるいはサブ制御部４２に電源部２４あるいは電源部４４のオフ設定を要求する。
【００３５】
また、他の実施の形態例としてサブ制御部２２とサブ制御部４２は、個々にリモコンの赤外線信号インターフェース部を持つことなくＩＲ１２を共有化することで、片方が信号を取り逃がすということをなくするものである。どちらも同じリモコンコードを受けて動作することが出来る。
【００３６】
また、他の実施の形態例としてサブ制御部２２とサブ制御部４２は、個々にリモコンの赤外線信号インターフェース部を持つことなくいずれかがＩＲ１２と接続し、サブ制御部２２とサブ制御部４２間で通信を行うことにより、より精度の高いリモコンに対する応答をおこなうことができる。
【００３７】
【発明の効果】
本願発明による構成によれば、従来は複数の制御部が、個々の電源部から電源を供給される場合、電源の立ち上がりに伴い、個々の制御部の立ち上がりにタイムラグを生じて動作に不具合が生じるという課題があったが、本願発明の構成をそなえることで、容易に制御部と表示部の一体型に展開できるとともに、電源の立ち上がりにタイムラグがあっても個々の制御部が同期して処理を進めることが出来ると言う効果が得られる。
【００３８】
また、チューナ部（制御部）と表示部の個々の目的で開発された複数の電源ユニットを使用しつつ、信頼性の高い電源立ち上がりの制御システムを実現するという優れた効果も合わせて得ることが出来る。
【図面の簡単な説明】
【図１】本発明における表示装置の基本構成を示す図
【図２】本発明の一実施の形態例である表示装置の構成を示すブロック図
【図３】同表示装置のチューナ部の制御部のフローチャート
【図４】同表示装置のＰＤＰの制御部のフローチャート
【図５】本願発明の他の実施の形態例における表示装置の第１の電子回路を示す図
【図６】本願発明の他の実施の形態例における表示装置の第２の電子回路を示す図
【図７】同表示装置のチューナ部の制御部のフローチャート
【図８】同表示装置のＰＤＰの制御部のフローチャート
【図９】従来の表示装置の一基本構成例を示す図
【符号の説明】
１０　一体型パネルテレビ
１１　ＳＷ部
１２　ＩＲ
２０　チューナ部
２１　スタンバイ電源部
２２　サブ制御部
２３　ＳＷ部
２４　電源部
２５　制御部
２６　チューナ
２７　ＡＶ入力部
２８　ＡＶＳＷ
２９　映像処理部
３１　Ｃ１
４１　スタンバイ電源部
４２　サブ制御部
４３　ＳＷ部
４４　電源部
４５　制御部
４６　映像フォーマット変換部
４７　パネル表示部
４８　音声処理増幅部
４９　ドライバ部
５０　Ｃ２
【図１】
2004045485.tif 000003
【図２】
2004045485.tif 000004
【図３】
2004045485.tif 000005
【図４】
2004045485.tif 000006
【図５】
2004045485.tif 000007
【図６】
2004045485.tif 000008
【図７】
2004045485.tif 000009
【図８】
2004045485.tif 000010
【図９】
2004045485.tif 000011